(57)【要約】【課題】読み取った原稿の画像データをＵＳＢメモリに格納するという利用形態で画像読取装置が利用される場合にも、該ＵＳＢメモリの取り外し忘れをできるだけ防止し、且つ、ユーザがＵＳＢメモリの取り外しを忘れた場合であっても、データが他人によって不正に使用されるのをできる限り防止する。【解決手段】画像読取部１６が読取動作で生成した画像データをＵＳＢメモリＭに格納してから所定時間が経過するまでの間にＵＳＢメモリＭが取り外されない場合は、ＵＳＢメモリＭが取り外す作業の実施を促す案内画面を表示し、且つ、該画像データをＵＳＢメモリＭから内部記憶部２１０に移転し、この移転した画像データは、入力されたユーザ情報に対する認証処理部２０３の認証を受けた上でＵＳＢメモリＭに戻されるようにし、それ以降、ＵＳＢメモリＭが取り外されるまで案内画面Ｇ２の表示を継続するようにした。【選択図】図２
2011071652.tif 000002
【特許請求の範囲】
【請求項１】
外部記憶装置が装着される外部記憶装置装着部と、
原稿の画像を読み取る画像読取部と、
前記外部記憶装置装着部に前記外部記憶装置が装着されたか否かを検出する第１装着状態検出部と、
前記第１装着状態検出部により前記外部記憶装置装着部に前記外部記憶装置が装着されたことが検出されると、ユーザを識別するためのユーザ情報を登録するための登録画面を表示する登録画面表示部と、
前記登録画面表示部により表示された登録画面で前記ユーザ情報を入力するための第１ユーザ情報入力操作部と、
前記第１ユーザ情報入力操作部により入力された前記ユーザ情報を記憶するユーザ情報記憶部と、
前記ユーザ情報記憶部により前記ユーザ情報が記憶されると、前記画像読取部に前記原稿の画像を読み取らせ、該読取動作で得られた画像データを、前記外部記憶装置装着部に装着されている外部記憶装置に格納する指示が入力可能となるスキャン指示入力操作部と、
前記スキャン指示入力操作部により入力された指示に係る読取動作を前記画像読取部に実行させるスキャン実行指示部と、
前記スキャン実行指示部の指示に基づく前記画像読取部の読取動作で得られた画像データを、前記外部記憶装置装着部に装着されている外部記憶装置に格納する格納部と、
データを記憶する内部記憶部と、
前記格納部により画像データが格納された時点から時間の計測動作を行う第１計時部と、
前記第１計時部により予め定められた時間が計時されると、前記外部記憶装置装着部に前記外部記憶装置が装着されているか否かを検出する第２装着状態検出部と、
前記第２装着状態検出部により前記外部記憶装置装着部に前記外部記憶装置が装着されていることが検出されると、前記外部記憶装置に格納されているデータを前記内部記憶部に移転する第１移転処理部と、
前記第１移転処理部によりデータが移転された時点から時間の計測動作を行う第２計時部と、
前記第１移転処理部によりデータが移転されると、前記外部記憶装置を前記外部記憶装置装着部から取り外す旨が入力可能となる取り外し入力操作部と、
前記第２計時部により予め定められた時間が計時されるまでの間に前記取り外し入力操作部により前記外部記憶装置を前記外部記憶装置装着部から取り外す旨が入力されると、ログイン画面を表示するログイン画面表示部と、
前記第１ユーザ情報入力操作部により入力された前記ユーザ情報を、前記ログイン画面表示部により表示された前記ログイン画面において入力するための第２ユーザ情報入力操作部と、
前記第２ユーザ情報入力操作部によりユーザ情報が入力されると、この入力されたユーザ情報と前記ユーザ情報記憶部に記憶されているユーザ情報とが一致するか否かを判断し、前記両ユーザ情報が一致するとき、その旨を示す認証信号を出力する認証処理部と、
前記認証処理部から前記認証信号を受信したとき、前記第１移転処理部により前記内部記憶部に移転されたデータを前記外部記憶装置に戻す第２移転処理部と
を備える画像読取装置。
【請求項２】
前記第１移転処理部によりデータが移転されると、前記ログイン画面表示部により前記ログイン画面が表示されるまで、前記外部記憶装置装着部から前記外部記憶装置を取り外す作業の実施を促す案内画面を表示する案内画面表示部を更に備え、
前記案内画面は、予め定められた表示領域を前記取り外し入力操作部として備えるものである請求項１に記載の画像読取装置。
【請求項３】
前記第２計時部により予め定められた時間が計時されるまでの間に前記取り外し入力操作部により前記外部記憶装置を前記外部記憶装置装着部から取り外す旨が入力されない場合、前記第１移転処理部により前記内部記憶部に移転されたデータを前記外部記憶装置に戻すことなく前記内部記憶部から消去する消去処理部を更に備える請求項１又は２に記載の画像読取装置。
【請求項４】
前記第１移転処理部により前記内部記憶部に移転されたデータが前記第２移転処理部により前記外部記憶装置に戻されると、前記外部記憶装置装着部から前記外部記憶装置が取り外されたか否かを検出する第３装着状態検出部を更に備え、
前記案内画面表示部は、前記第３装着状態検出部により前記外部記憶装置が前記外部記憶装置装着部から取り外されたことが検出されるまで、前記外部記憶装置の取り外しが可能である旨のメッセージを表示する請求項２に記載の画像読取装置。
【発明の詳細な説明】
【技術分野】
【０００１】
本発明は、ＵＳＢメモリ等の外部記憶装置が着脱可能に構成されたスキャナや複合機などの画像読取装置の技術分野に属し、特に、前記外部記憶装置の抜き忘れ防止技術に関する。
【背景技術】
【０００２】
近年、携帯性を有する記録メディアとして広く知られているＵＳＢ（Universal Serial Bus）メモリが装着可能に構成され、該ＵＳＢメモリが装着されると、そのＵＳＢメモリに対してデータの読み出しや書き込みを行う機能を有するスキャナや複合機などの画像読取装置が商品化されている。
【０００３】
この種の画像読取装置においては、ユーザが、装置に装着したＵＳＢメモリをジョブの終了後に装置から取り外して持ち帰るのを忘れることが多々あるという問題がある。ＵＳＢメモリの取り外しを忘れた場合、データが消失するだけでなく、他人にそのＵＳＢメモリが勝手に持ち出され、該ＵＳＢメモリ内のデータが不正に使用されることも考えられる。
【０００４】
下記特許文献１には、このようなＵＳＢメモリの取り外し忘れを課題として、スタートキー（プリント開始キー）が押されると、ＵＳＢメモリからジョブ対象のデータを装置内部にコピーした後、ジョブを開始する前に、ＵＳＢメモリを取り外すようにユーザに促すとともに、ＵＳＢメモリが装置に装着された状態ではジョブの実行を開始しないように構成した画像形成装置が提案されている。
【０００５】
また、下記特許文献２には、第三者へのデータの流出や漏洩を防止することを目的として、装着された外部記憶装置からデータを取得した場合に、取得したデータを用いた処理の実行中や該処理の終了後に、外部記憶装置のデータを削除する点が記載されている。
【先行技術文献】
【特許文献】
【０００６】
【特許文献１】特開２００６−１０７３７６号公報
【特許文献２】特開２００９−３６５８号公報
【発明の概要】
【発明が解決しようとする課題】
【０００７】
ＵＳＢメモリが装着可能な画像読取装置は、読み取った原稿の画像データをＵＳＢメモリに格納するという利用形態で利用されることがあり、この場合にも、ＵＳＢメモリの取り外し忘れを防止すべきである。しかしながら、そのような技術は提案されていない。
【０００８】
なお、前記特許文献１は、ＵＳＢメモリが装置に装着された状態ではジョブの実行を開始しないものであり、スキャン動作を行うためには、ＵＳＢメモリが装置から取り外されていることが前提であるため、読み取った原稿の画像データをＵＳＢメモリに格納することができない。
【０００９】
また、前記特許文献２は、取得したデータを用いた処理の実行中や該処理の終了後に、外部記憶装置のデータを削除するものであるから、読み取った原稿の画像データをＵＳＢメモリに保存することができない。
【００１０】
本発明は、このような事情に鑑みて為された発明であり、読み取った原稿の画像データをＵＳＢメモリに格納するという利用形態で画像読取装置が利用される場合にも、該ＵＳＢメモリの取り外し忘れをできるだけ防止し、且つ、ユーザがＵＳＢメモリの取り外しを忘れた場合であっても、データが他人によって不正に使用されるのをできる限り防止することのできる技術を提供することを目的とする。
【課題を解決するための手段】
【００１１】
請求項１に記載の発明は、外部記憶装置が装着される外部記憶装置装着部と、原稿の画像を読み取る画像読取部と、前記外部記憶装置装着部に前記外部記憶装置が装着されたか否かを検出する第１装着状態検出部と、前記第１装着状態検出部により前記外部記憶装置装着部に前記外部記憶装置が装着されたことが検出されると、ユーザを識別するためのユーザ情報を登録するための登録画面を表示する登録画面表示部と、前記登録画面表示部により表示された登録画面で前記ユーザ情報を入力するための第１ユーザ情報入力操作部と、前記第１ユーザ情報入力操作部により入力された前記ユーザ情報を記憶するユーザ情報記憶部と、前記ユーザ情報記憶部により前記ユーザ情報が記憶されると、前記画像読取部に前記原稿の画像を読み取らせ、該読取動作で得られた画像データを、前記外部記憶装置装着部に装着されている外部記憶装置に格納する指示が入力可能となるスキャン指示入力操作部と、前記スキャン指示入力操作部により入力された指示に係る読取動作を前記画像読取部に実行させるスキャン実行指示部と、前記スキャン実行指示部の指示に基づく前記画像読取部の読取動作で得られた画像データを、前記外部記憶装置装着部に装着されている外部記憶装置に格納する格納部と、データを記憶する内部記憶部と、前記格納部により画像データが格納された時点から時間の計測動作を行う第１計時部と、前記第１計時部により予め定められた時間が計時されると、前記外部記憶装置装着部に前記外部記憶装置が装着されているか否かを検出する第２装着状態検出部と、前記第２装着状態検出部により前記外部記憶装置装着部に前記外部記憶装置が装着されていることが検出されると、前記外部記憶装置に格納されているデータを前記内部記憶部に移転する第１移転処理部と、前記第１移転処理部によりデータが移転された時点から時間の計測動作を行う第２計時部と、前記第１移転処理部によりデータが移転されると、前記外部記憶装置を前記外部記憶装置装着部から取り外す旨が入力可能となる取り外し入力操作部と、前記第２計時部により予め定められた時間が計時されるまでの間に前記取り外し入力操作部により前記外部記憶装置を前記外部記憶装置装着部から取り外す旨が入力されると、ログイン画面を表示するログイン画面表示部と、前記第１ユーザ情報入力操作部により入力された前記ユーザ情報を、前記ログイン画面表示部により表示された前記ログイン画面において入力するための第２ユーザ情報入力操作部と、前記第２ユーザ情報入力操作部によりユーザ情報が入力されると、この入力されたユーザ情報と前記ユーザ情報記憶部に記憶されているユーザ情報とが一致するか否かを判断し、前記両ユーザ情報が一致するとき、その旨を示す認証信号を出力する認証処理部と、前記認証処理部から前記認証信号を受信したとき、前記第１移転処理部により前記内部記憶部に移転されたデータを前記外部記憶装置に戻す第２移転処理部とを備える画像読取装置である。
【００１２】
この発明によれば、前記第１装着状態検出部により前記外部記憶装置装着部に前記外部記憶装置が装着されたことが検出されると、登録画面表示部により、ユーザを識別するためのユーザ情報を登録するための登録画面が表示され、この登録画面において、第１ユーザ情報入力操作部により前記ユーザ情報が入力されると、該ユーザ情報がユーザ情報記憶部により記憶される。
【００１３】
前記ユーザ情報記憶部により前記ユーザ情報が記憶されると、前記スキャン指示入力操作部により、前記画像読取部に前記原稿の画像を読み取らせて、該読取動作で得られた画像データを、前記外部記憶装置装着部に装着されている外部記憶装置に格納する指示の入力が可能となり、該指示が入力されると、スキャン実行指示部の指示に基づき、前記読取動作が前記画像読取部により実行され、該読取動作で得られた画像データが格納部により前記外部記憶装置に格納される。
【００１４】
次に、第１計時部により、前記格納部により画像データが格納された時点から時間の計測動作が開始され、予め定められた時間が計時されると、前記外部記憶装置装着部に前記外部記憶装置が装着されているか否かが第２装着状態検出部により検出される。前記第２装着状態検出部により前記外部記憶装置装着部に前記外部記憶装置が装着されていることが検出されると、前記外部記憶装置に格納されているデータが前記第１移転処理部により前記内部記憶部に移転され、前記第１移転処理部によりデータが移転された時点から第２計時部による時間の計測動作が開始される。
【００１５】
前記第１移転処理部によりデータが移転されると、前記第２計時部により予め定められた時間が計時されるまでの間、前記外部記憶装置を前記外部記憶装置装着部から取り外す旨が取り外し入力操作部により入力可能となり、その取り外す旨が入力されると、ログイン画面表示部によりログイン画面が表示される。
【００１６】
前記ログイン画面において、前記第１ユーザ情報入力操作部により入力された前記ユーザ情報が第２ユーザ情報入力操作部により入力されると、認証処理部により、その入力されたユーザ情報と前記ユーザ情報記憶部に記憶されているユーザ情報とが一致するか否かが判断され、前記両ユーザ情報が一致するとき、その旨を示す認証信号が出力される。
【００１７】
そして、前記第２移転処理部により前記認証信号が受信されると、前記第１移転処理部により前記内部記憶部に移転されたデータが前記第２移転処理部により前記外部記憶装置に戻される。
【００１８】
このように、読取動作で得られた画像データを内部記憶部に格納してから前記予め定められた時間が経過しても、まだ外部記憶装置が前記外部記憶装置装着部に装着されている場合には、前記外部記憶装置に格納されているデータを前記内部記憶部に移転するようにしたので、仮に、ユーザが前記外部記憶装置の取り外しを忘れ、他人に勝手に前記外部記憶装置が取り外されたとしても、前記画像データが他人によって不正に使用されるのを防止することができる。
【００１９】
また、前記第２ユーザ情報入力操作部で入力されたユーザ情報の認証処理を行い、認証を受けた場合に、前記内部記憶部に移転したデータを前記外部記憶装置に戻すようにしたので、スキャン指示入力操作部を操作したユーザは、読み取った原稿の画像データが格納された外部記憶装置を得ることができる。
【００２０】
また、内部記憶部に移転されたデータを前記外部記憶装置に戻すために、前記認証処理部による認証を受けることを条件としたので、内部記憶部に移転された前記画像データが他人によって勝手に前記外部記憶装置に戻されるのを防止することができる。
【００２１】
請求項２に記載の発明は、請求項１に記載の画像読取装置において、前記第１移転処理部によりデータが移転されると、前記ログイン画面表示部により前記ログイン画面が表示されるまで、前記外部記憶装置装着部から前記外部記憶装置を取り外す作業の実施を促す案内画面を表示する案内画面表示部を更に備え、前記案内画面は、予め定められた表示領域を前記取り外し入力操作部として備えるものである。
【００２２】
この発明によれば、前記第１移転処理部によりデータが移転されると、前記ログイン画面表示部により前記ログイン画面が表示されるまで、前記外部記憶装置装着部から前記外部記憶装置を取り外す作業の実施を促す案内画面を、予め定められた表示領域に前記取り外し入力操作部を有する形態で表示するようにしたので、前記外部記憶装置の取り外し忘れを抑制することができる。
【００２３】
請求項３に記載の発明は、請求項１又は２に記載の画像読取装置において、前記第２計時部により予め定められた時間が計時されるまでの間に前記取り外し入力操作部により前記外部記憶装置を前記外部記憶装置装着部から取り外す旨が入力されない場合、前記第１移転処理部により前記内部記憶部に移転されたデータを前記外部記憶装置に戻すことなく前記内部記憶部から消去する消去処理部を更に備えるものである。
【００２４】
この発明によれば、前記第１移転処理部によりデータが移転された時点から前記予め定められた時間が経過するまでの間に、前記外部記憶装置装着部から前記外部記憶装置が取り外されなかった場合、第１移転処理部により前記外部記憶装置から前記内部記憶部に移転されたデータが前記消去処理部により該内部記憶部から消去されるようにしたので、画像データが内部記憶部に残存することにより該画像データが当該画像読取装置等で不正に使用されるのを防止することができる。
【００２５】
請求項４に記載の発明は、請求項２に記載の画像読取装置において、前記第１移転処理部により前記内部記憶部に移転されたデータが前記第２移転処理部により前記外部記憶装置に戻されると、前記外部記憶装置装着部から前記外部記憶装置が取り外されたか否かを検出する第３装着状態検出部を更に備え、前記案内画面表示部は、前記第３装着状態検出部により前記外部記憶装置が前記外部記憶装置装着部から取り外されたことが検出されるまで、前記外部記憶装置の取り外しが可能である旨のメッセージを表示するものである。
【００２６】
この発明によれば、前記第１移転処理部により前記内部記憶部に移転されたデータが前記第２移転処理部により前記外部記憶装置に戻された後は、前記外部記憶装置が前記外部記憶装置装着部から取り外されるまで、前記外部記憶装置の取り外しが可能である旨のメッセージを表示するようにしたので、前記外部記憶装置の取り外し忘れを抑制することができる。
【発明の効果】
【００２７】
本発明によれば、読み取った原稿の画像データを外部記憶装置に格納するという利用形態で画像読取装置が利用される場合にも、外部記憶装置の取り外し忘れをできるだけ防止し、且つ、ユーザが外部記憶装置の取り外しを忘れた場合であっても、データが他人によって不正に使用されるのを防止することができる。
【図面の簡単な説明】
【００２８】
【図１】本発明に係る画像読取装置の一構成例の正面断面視の説明図である。
【図２】図１に示す画像読取装置の電気的な構成の一例を示すブロック図である。
【図３】登録画面の一例を示す図である。
【図４】案内画面の一例を示す図である。
【図５】ログイン画面の一例を示す図である。
【図６】ＵＳＢメモリの取り外し防止に係る制御部の処理を示すフローチャートである。
【図７】ＵＳＢメモリの取り外し防止に係る制御部の処理を示すフローチャートである。
【発明を実施するための形態】
【００２９】
以下、本発明に係る画像読取装置の実施形態につき図面を用いて説明する。なお、各図において同一の符号を付した構成は、同一の構成であることを示し、その説明を省略する。図１は、本発明に係る画像読取装置の一構成例の正面断面視の説明図である。なお、図１においてＸ−Ｘ方向を左右方向といい、特に−Ｘ方向を左方、＋Ｘ方向を右方という。
【００３０】
図１に示す画像読取装置１０は、いわゆる胴内排紙型と称される複写機であり、装置本体１１に、画像形成部１２と、定着部１３と、用紙貯留部１４と、排紙部１５と、画像読取部１６と、操作部１７とが設けられている。排紙部１５の一部（後述の胴内排紙トレイ１５１）は、画像読取部１６の下部で装置本体１１の一部が凹没されることによって形成され、これにより当該画像読取装置１０が胴内排紙型と称されている。
【００３１】
装置本体１１は、外観視で直方体状を呈した下部本体１１１と、この下部本体１１１の上方に対向配置された扁平な直方体状を呈する上部本体１１２と、この上部本体１１２と下部本体１１１との間に介設された連結部１１３とを備えている。連結部１１３は、下部本体１１１と上部本体１１２との間に排紙部１５の胴内排紙トレイ１５１を形成させた状態で両者を互いに連結するための構造物である。
【００３２】
そして、下部本体１１１には、画像形成部１２、定着部１３及び用紙貯留部１４が内装されているとともに、上部本体１１２には画像読取部１６が装着されている。操作部１７は、上部本体１１２の前縁部に設けられている。
【００３３】
操作部１７は、画像読取処理や画像形成処理に関する操作入力を受け付けるものであり、用紙Ｐの処理枚数等を入力するためのテンキーやその他の各種の操作キー１７１、さらにはタッチ入力を行うためのＬＣＤ（Ｌｉｑｕｉｄ  Ｃｒｙｓｔａｌ  Ｄｉｓｐｌａｙ）を備えた表示部１７２、当該画像読取装置１０の各部に要する電力供給のオンオフを行うための電源ボタン１７３等が設けられている。操作部１７は、スキャン指示入力操作部、第１ユーザ情報入力操作部、第２ユーザ情報入力操作部及び取り外し入力操作部に相当するものである。
【００３４】
用紙貯留部１４は、下部本体１１１内における画像形成部１２の直下方位置に設けられた挿脱可能な用紙カセット１４１と、この用紙カセット１４１のさらに下方位置に設けられた挿脱可能な大量の用紙（シート体）Ｐを貯留することができる大容量デッキ１４２とを有している。本実施形態においては、用紙カセット１４１は２段で設けられ、大容量デッキ１４２は２列で設けられている。用紙カセット１４１は２段設置可能とされており、一方はオプションとして追加できるようになっている。
【００３５】
そして、画像形成処理が行われるに際し、用紙カセット１４１又は大容量デッキ１４２に貯留されている用紙束Ｐ１から用紙Ｐが給紙ローラ１４５，１４６により１枚ずつ繰り出され、画像形成部１２へ送り込まれて当該用紙Ｐに対して画像形成処理（印刷処理）が実行される。
【００３６】
排紙部１５は、下部本体１１１と上部本体１１２との間に形成された胴内排紙トレイ（スイッチバックトレイ）１５１と、装置本体１１の外部に形成された胴外排紙トレイ（外部トレイ）１５２と、胴内排紙トレイ１５１の直上位置に設けられた胴内フィニッシャー１５３とを有している。
【００３７】
画像形成部１２から送り込まれたトナー画像転写済みの用紙Ｐは、連結部１１３内に設けられた搬出方向切換部２０を介し、予め排出先が設定された胴内排紙トレイ１５１、胴外排紙トレイ１５２及び胴内フィニッシャー１５３のいずれかに向けて排出される。胴内フィニッシャー１５３は、排出された用紙Ｐに対してパンチング処理やステイプル処理等の後処理を施すものである。胴内排紙トレイ１５１には、排紙ローラ１４７により用紙が排出される。
【００３８】
胴内排紙トレイ１５１は、単純に用紙Ｐの排出用に使用される他、用紙Ｐに対して両面印刷処理を施すに際し、表面側の印刷処理が完了した用紙Ｐに対して裏面側に印刷処理を施すべく、当該用紙Ｐを表裏反転させるためのスイッチバックトレイとしても利用される。すなわち、表面側の印刷処理が完了した用紙Ｐは、この胴内排紙トレイ１５１に一旦排出された後、今までの最後尾が最先端になった状態でスイッチバックされ、画像形成部１２へ戻される。そして、片面印刷が完了している用紙Ｐは、画像形成部１２で裏面側に印刷処理が施され、胴内排紙トレイ１５１又は胴外排紙トレイ１５２へ排出される。
【００３９】
画像読取部１６は、上部本体１１２の上面開口に装着された、原稿を載置するためのコンタクトガラス１６１と、このコンタクトガラス１６１に載置された原稿を押さえる開閉自在の原稿押さえカバー１６２と、この原稿押さえカバー１６２に装着された原稿自動読取部１６３と、コンタクトガラス１６１に載置された原稿の画像を走査する走査機構１６４とを備えている。
【００４０】
コンタクトガラス１６１上に載置され、あるいは原稿自動読取部１６３によってコンタクトガラス１６１上へ供給された原稿の画像は、走査機構１６４によってアナログ情報として読み取られたのちデジタル信号に変換されて後述する露光ユニット１２３へ向けて出力され、画像形成処理に供される。
【００４１】
また、下部本体１１１の右面における用紙貯留部１４の直上位置には手差しトレイ１８が設けられている。この手差しトレイ１８は、下部が支軸１８１回りに回動可能に軸支され、手差しの給紙口を閉止するべく起立した閉止姿勢と、右方へ向かって突出した開放姿勢との間で姿勢変更可能とされている。かかる手差しトレイ１８は、開放姿勢に姿勢設定された状態で１枚ずつの用紙Ｐの手差しに供される。このような手差しトレイ１８から手差しで給紙された用紙Ｐは、用紙縦搬送路１０１を介して後述の感光体ドラム１２１と転写ローラ１２５との間のニップ部へ向けて送り出される。
【００４２】
また、下部本体１１１の左面には、開閉可能なメンテナンス用のメンテナンスドアー１９が設けられている。胴外排紙トレイ１５２は、このメンテナンスドアー１９の上部位置に設けられている。画像形成部１２で印刷処理が完了した用紙Ｐは、この胴外排紙トレイ１５２及び胴内排紙トレイ１５１のいずれかに選択的に排出される。
【００４３】
画像形成部１２には、上下方向の略中央部であって左寄りの位置に感光体ドラム１２１が設けられている。この感光体ドラム１２１は、ドラム心回りに時計方向に向けて回転しながらその直ぐ右方位置に設けられた帯電ユニット１２２により周面が一様に帯電処理される。
【００４４】
感光体ドラム１２１の右側位置には、画像読取部１６で読み取られた原稿画像の画像情報に基づくレーザービームを感光体ドラム１２１の周面に照射する露光ユニット１２３が設けられている。そして、この露光ユニット１２３からのレーザービームの照射によって感光体ドラム１２１の周面に静電潜像が形成される。この静電潜像に向けて感光体ドラム１２１の下方に設けられた現像ユニット１２４からトナーが供給され、これによって感光体ドラム１２１の周面に静電潜像に沿ったトナー像が形成される。
【００４５】
トナー像が形成された感光体ドラム１２１には、用紙カセット１４１又は大容量デッキ１４２から搬送されてきた用紙Ｐが、上下方向に延びた用紙縦搬送路１０１を上昇し、タイミングを取るためのレジストローラ対１４３を介して送り込まれる。このレジストローラ対１４３は、レジストセンサ２２２により用紙の先端が検出されると、回転が一旦停止され、感光体ドラム１２１の回転に合わせて回転が再開される。
【００４６】
そして、感光体ドラム１２１へ到達した用紙Ｐには、左方で当該感光体ドラム１２１と対向配置された転写ローラ１２５の作用で感光体ドラム１２１の周面のトナー像が転写される。トナー像が転写された用紙Ｐは感光体ドラム１２１から分離されて定着部１３へ送り込まれる。
【００４７】
用紙Ｐに対するトナー像の転写処理が完了した感光体ドラム１２１は、時計方向へ向かう回転が継続されることにより、その直上位置に設けられたクリーニング装置１２６によってその周面が清浄され、つぎの画像形成処理のために帯電ユニット１２２へ向かうことになる。
【００４８】
定着部１３は、内部にハロゲンランプ等の通電発熱体を備えた加熱ローラ１３１と、左方でこの加熱ローラ１３１と対向配置された定着ローラ１３２と、この定着ローラ１３２及び加熱ローラ１３１間に張設された定着ベルト１３３と、左側でこの定着ベルト１３３の表面と対向配置された加圧ローラ１３４とを有している。そして、画像形成部１２から送り込まれた用紙Ｐは、これら定着ベルト１３３と加圧ローラ１３４との間のニップ部を通過しながら加熱ローラ１３１の熱を定着ベルト１３３を介して受熱し、これによってトナー像の用紙Ｐに対する定着処理が実行される。
【００４９】
定着処理後の用紙Ｐは、当該用紙Ｐが片面印刷用のものである場合には、定着部１３の上方に配置された搬出方向切換部２０を介し、排紙搬送路１０２を通って胴外排紙トレイ１５２へ排出されたり、往復搬送路１０３を通って胴内排紙トレイ１５１へ排出されたり、さらには両面印刷のために往復搬送路１０３を通ってスイッチバックトレイとして兼用される胴内排紙トレイ１５１へ一時的に排出されたりする。
【００５０】
そして、両面印刷の場合、往復搬送路１０３を介して前半部分が胴内排紙トレイ１５１に排紙された片面印刷処理済みの用紙Ｐは、メンテナンスドアー１９内に設けられた上下方向に延びる逆送搬送路１０４を介して逆送され、表裏が反転した状態で再度画像形成部１２に供給されて裏面側に印刷処理が施される。両面印刷が完了した用紙Ｐは、胴内排紙トレイ１５１又は胴外排紙トレイ１５２へ排出される。
【００５１】
メンテナンスドアー１９には、逆送搬送路１０４の直ぐ右側に、右面が画像形成部１２の左面に対向されるカバー部材１９１が設けられている。このカバー部材１９１は、メンテナンスドアー１９の右面側に包持されている。そして、メンテナンスドアー１９が閉止姿勢に姿勢設定された状態で、カバー部材１９１の右面と画像形成部１２の左面との間に用紙カセット１４１や大容量デッキ１４２、さらには手差しトレイ１８から給紙された用紙Ｐを搬送するための用紙縦搬送路１０１の一部が形成されている。
【００５２】
図２は、図１に示す画像読取装置１０の電気的な構成の一例を示すブロック図である。画像読取装置１０は、前記各部に加えて、内部記憶部２１０と、ＵＳＢ装着部２３と、制御部２００とを備えている。なお、図２では、用紙を搬送する各種ローラ等をまとめて搬送機構１２０として記載している。
【００５３】
内部記憶部２１０は、例えばＨＤＤ（Hard Disc Drive）等からなり、画像読取部１６により読み取られた画像データを記憶するものである。内部記憶部２１０は、後述する登録画面Ｇ１（図３参照）で登録されたユーザＩＤを一時的に記憶するユーザＩＤ記憶部２１１を有している。
【００５４】
本実施形態に係る画像読取装置１０は、ユーザがＵＳＢメモリＭを当該画像読取装置１０で使用するべく該ＵＳＢメモリＭをＵＳＢ装着部２３に装着すると、登録画面Ｇ１（図３参照）を表示部１７２に表示し、該登録画面Ｇ１で操作部１７によりユーザＩＤを登録する作業をユーザに行わせるように構成されており、ユーザＩＤ記憶部２１１（内部記憶部２１０）は、このとき入力されたユーザＩＤを記憶する。ユーザＩＤ記憶部２１１は、ユーザ情報記憶部に相当する。
【００５５】
ＵＳＢ装着部２３は、ＵＳＢメモリＭ（図１参照；外部記憶装置の一例）が差し込まれる部位であり、ＵＳＢメモリＭの端子と機械的・電気的に接続されるＵＳＢ端子２３１（外部記憶装置装着部の一例）を備える。
【００５６】
制御部２００は、例えば所定の演算処理を実行するＣＰＵ（Central Processing Unit）と、所定の制御プログラムが記憶されたＲＯＭ（Read Only Memory）と、データを一時的に記憶するＲＡＭ（Random Access Memory）と、タイマ回路と、これらの周辺回路等とを備えて構成されている。制御部２００には、画像読取部１６、画像形成部１２、定着部１３、搬送機構１２０、操作部１７、内部記憶部２１０及びＵＳＢ装着部２３が接続されている。
【００５７】
画像読取装置１０は、ＵＳＢ装着部２３にＵＳＢメモリＭが装着されると、前記登録画面でユーザＩＤの登録作業をユーザに行わせた上で、ユーザによる画像読取装置１０の動作指示の入力を待つ。そして、ユーザにより原稿の読取動作が指示された場合、画像読取装置１０は、画像読取部１６による読取動作を実行し、該読取動作で得られた画像データをＵＳＢメモリＭに格納する。
【００５８】
ここで、本実施形態では、画像データをＵＳＢメモリＭに格納すると、該ＵＳＢメモリＭが取り外し可能になるが、前記画像データをＵＳＢメモリＭに格納してから所定時間経過してもＵＳＢメモリＭが取り外されないときには、ＵＳＢメモリＭを取り外す作業の実施を促す案内画面を表示するとともに、データの安全性を考慮して、ＵＳＢメモリＭ内の全てのデータを内部記憶部２１０に移転する。
【００５９】
その後、画像読取装置１０は、内部記憶部２１０へのデータの移転処理を行ってから所定時間が経過するまでの間に、ユーザによりＵＳＢメモリＭを取り外す旨が当該画像読取装置１０に入力されると、今回画像読取装置１０に対して読取動作を行わせるにあたって登録したユーザＩＤの入力をユーザに行わせ、その入力されたユーザＩＤに係る認証処理を行った後、内部記憶部２１０に移転した画像データをＵＳＢメモリＭに戻す。
【００６０】
一方、内部記憶部２１０へのデータの移転処理を行ってから所定時間が経過しても、ＵＳＢメモリＭを取り外す旨が当該画像読取装置１０に入力されない場合には、内部記憶部２１０に移転した画像データをＵＳＢメモリＭに戻すことなく前記内部記憶部２１０から消去する。
【００６１】
このような処理を行うために、制御部２００は、例えばＲＯＭに記憶された制御プログラムを実行することにより、ＵＳＢメモリ装着検出部２０１と、表示制御部２０２と、認証処理部２０３と、ジョブ実行指示部２０４と、計時部２０５と、データ処理部２０６として機能する。
【００６２】
ＵＳＢメモリ装着検出部２０１は、ＵＳＢ装着部２３にＵＳＢメモリＭが差し込まれているか否かを検出するものである。例えば、ＵＳＢメモリＭが前記ＵＳＢ装着部２３に差し込まれると、ＵＳＢ端子２３１の電位が変化するように構成されており、ＵＳＢメモリ装着検出部２０１は、ＵＳＢ端子２３１の電位変化の有無に基づいて、ＵＳＢ装着部２３にＵＳＢメモリＭが差し込まれたか否かを検出する。ＵＳＢ装着部２３及びＵＳＢメモリ装着検出部２０１は、第１装着状態検出部、第２装着状態検出部及び第３装着状態検出部に相当する。
【００６３】
表示制御部２０２は、ＵＳＢメモリＭがＵＳＢ装着部２３に装着された場合に、このＵＳＢ装着部２３の使用者であることを示すユーザＩＤを登録する登録画面を表示部１７に表示させたり、後述する認証処理部２０３からの要求を受けて、後述するログイン画面や前述のようにＵＳＢメモリＭの取り外しを促す案内画面などの各種画面を表示部１７２に表示させたりするものである。図３に前記登録画面の一例を示し、図４に前記案内画面の一例を示し、図５に前記ログイン画面の一例を示す。
【００６４】
図３に示すように、登録画面Ｇ１は、ユーザＩＤの登録を指示するメッセージＭ１と、操作部１７により入力された文字や数字を表示するボックスＢ１と、「登録」ボタンＢ２及び「戻る」ボタンＢ３とを有する。「登録」ボタンＢ２が操作されると、ボックスＢ１に表示された文字や数字の配列をユーザＩＤとしてユーザＩＤ記憶部２１１に格納する処理が行われ、「戻る」ボタンＢ３が操作されると、登録画面Ｇ１から図略の初期画面に切り替わる。
【００６５】
図４に示すように、案内画面Ｇ２は、ＵＳＢメモリＭが装着されたままであり、該ＵＳＢメモリＭを取り外す指示を示す旨のメッセージＭ２と、前記メッセージＭ２の内容を認識した旨を画像読取装置１０に入力するための入力ボタンＢ４とを有する。図５に示すように、ログイン画面Ｇ３は、登録画面Ｇ１で登録したユーザＩＤの入力を促すメッセージＭ３と、操作部１７により入力された文字や数字を表示するボックスＢ５と、ボックスＢ５に表示されている文字や数字の配列でユーザＩＤの入力を完了した旨を入力するための「ＯＫ」ボタンＢ６とを有する。表示制御部２０２及び前記表示部１７２は、前記登録画面表示部、ログイン画面表示部及び案内画面表示部を構成する。
【００６６】
図１に戻り、認証処理部２０３は、前記ログイン画面Ｇ３で入力されたユーザＩＤが、前記ユーザＩＤ記憶部２１１に記憶されているユーザＩＤ（登録画面Ｇ１で登録されたユーザＩＤ）と一致するか否かを照合するものである。
【００６７】
ジョブ実行指示部２０４は、前記操作部１７により入力された実行指示に係るジョブ、例えば原稿の画像を読み取る読取動作や記録紙に画像を形成する画像形成動作等を当該画像読取装置１０内の各部に実行させるものである。ジョブ実行指示部２０４は、スキャン実行指示部を含む。
【００６８】
計時部２０５は、時間の計測動作を行うものであり、例えば、前記画像データをＵＳＢメモリＭに格納してから所定時間経過してもＵＳＢメモリＭが取り外されない場合に、ＵＳＢメモリＭ内の全てのデータを内部記憶部２１０に移転するタイミングを図るための時間の計測動作や、内部記憶部２１０に移転したデータをＵＳＢメモリＭに戻すことなく該内部記憶部２１０から消去するタイミングを図るための時間の計測動作を行う。計時部２０５は、第１計時部及び第２計時部に相当する。
【００６９】
データ処理部２０６は、ＵＳＢメモリＭと内部記憶部２１０との間でデータの移転処理を行ったり、内部記憶部２１０に移転されたデータの消去を行ったりするものである。データ処理部２０６は、格納部、第１移転処理部、第２移転処理部及び消去処理部に相当する。
【００７０】
図６，図７は、ＵＳＢメモリＭの取り外し忘れ防止に係る制御部２００の処理を示すフローチャートである。
【００７１】
図６に示すように、画像読取装置１０に対して何らかの操作があると（ステップ♯１でＹＥＳ）、ＵＳＢメモリ装着検出部２０１は、その操作が、ＵＳＢメモリＭを前記ＵＳＢ装着部２３に装着する操作であるか否かを検出する（ステップ♯２）。
【００７２】
ＵＳＢメモリ装着検出部２０１が、ステップ♯１で行われた操作が、ＵＳＢメモリＭを前記ＵＳＢ装着部２３に装着する操作ではないことを検出した場合には（ステップ♯２でＮＯ）、ジョブ実行指示部２０４は、ジョブの実行指示があるまで待機し（ステップ♯３でＮＯ）、ジョブの実行指示があると（ステップ♯３でＹＥＳ）、そのジョブを画像読取装置１０内の各部に実行させる（ステップ♯４）。
【００７３】
一方、ステップ♯１で行われた操作がＵＳＢメモリＭを前記ＵＳＢ装着部２３に装着する操作である（ＵＳＢメモリＭが前記ＵＳＢ装着部２３に装着された）ことを前記ＵＳＢメモリ装着検出部２０１が検出した場合には（ステップ♯２でＹＥＳ）、表示制御部２０２は、前記認証処理部２０３からの要求を受けて、図３に示すような登録画面Ｇ１を表示部１７２に表示させる（ステップ♯５）。
【００７４】
認証処理部２０３は、この登録画面Ｇ１においてユーザＩＤが入力されるまで待機し（ステップ♯６でＮＯ）、入力されたユーザＩＤを受け付けると（ステップ♯６でＹＥＳ）、そのユーザＩＤを前記ユーザＩＤ記憶部２１１に格納する（ステップ♯７）。
【００７５】
次に、ジョブ実行指示部２０４は、ジョブの実行指示があるまで待機し（ステップ♯８でＮＯ）、ジョブの実行指示を受け付けると（ステップ♯８でＹＥＳ）、ジョブ実行指示部２０４は、そのジョブがスキャン（画像読取）動作であるか否かを判断する（ステップ♯９）。
【００７６】
ジョブ実行指示部２０４は、そのジョブがスキャン（画像読取）動作以外のジョブであると判断すると（ステップ♯９でＮＯ）、そのジョブの種類に応じた動作を画像読取装置１０内の各部に実行させる一方（ステップ♯４）、前記ジョブがスキャン（画像読取）動作であると判断すると（ステップ♯９でＹＥＳ）、そのスキャン動作により読み取った画像データの格納先としてＵＳＢメモリＭが指定されたか否かを判断する（ステップ♯１０）。
【００７７】
ジョブ実行指示部２０４は、スキャン動作により読み取った画像データの格納先としてＵＳＢメモリＭ以外の格納先（内部記憶部２１０）が指定されたと判断すると（ステップ♯１０でＮＯ）、スキャン動作を画像読取部１６に行わせ、該読取動作で得られた画像データをその格納先に格納する処理を前記画像読取部１６に行わせる（ステップ♯４）。
【００７８】
一方、ジョブ実行指示部２０４は、スキャン動作により読み取った画像データの格納先としてＵＳＢメモリＭが指定されたと判断すると（ステップ♯１０でＹＥＳ）、スキャン動作を画像読取部１６に行わせ、該読取動作で得られた画像データをＵＳＢメモリＭに格納する処理を前記画像読取部１６に行わせる（ステップ♯１１）。そして、画像データをＵＳＢメモリＭに格納する処理が完了すると、計時部２０５は、時間の計測動作を開始する。
【００７９】
ステップ♯１１の処理後、図７に示すように、ＵＳＢメモリ装着検出部２０１は、前記計時部２０５により、画像データをＵＳＢメモリＭに格納してから所定時間が計時されたか否かを判断し（ステップ♯１２）、画像データをＵＳＢメモリＭに格納してから所定時間が計時されたと判断すると（ステップ♯１２でＹＥＳ）、計時部２０５は計時動作を止めて計測値をリセットし、ＵＳＢメモリ装着検出部２０１は、ＵＳＢメモリＭがＵＳＢ装着部２３から取り外されているか否かを判断する（ステップ♯１３）。
【００８０】
ＵＳＢメモリ装着検出部２０１は、ＵＳＢメモリＭがＵＳＢ装着部２３から取り外されていると判断した場合には（ステップ♯１３でＹＥＳ）、一連の処理を終了する一方、ＵＳＢメモリＭがＵＳＢ装着部２３から取り外されていないと判断した場合には（ステップ♯１３でＮＯ）、表示制御部２０２は、ＵＳＢメモリＭの取り外しを促す図４に示すような案内画面Ｇ２を表示部１７２に表示し、データ処理部２０６は、ＵＳＢメモリＭ内の全てのデータを該ＵＳＢメモリＭから内部記憶部２１０に移転する（ステップ♯１４）。そして、このデータの移転処理が完了すると、計時部２０５は、再び、時間の計測動作を開始する。
【００８１】
次に、データ処理部２０６は、前記案内画面Ｇ２においてボタンＢ４が操作されたか否か（ＵＳＢメモリＭをＵＳＢ装着部２３から取り外す旨が入力されたか否か）を一定周期で検出し（ステップ♯１５）、前記ボタンＢ４が操作されていないと判断した場合には（ステップ♯１５でＮＯ）、前記計時部２０５により、データを内部記憶部２１０に移転してから所定時間が計時されたか否かを判断する（ステップ♯１６）。
【００８２】
データ処理部２０６は、データを内部記憶部２１０に移転してから所定時間が計時されていないと判断した場合には（ステップ♯１６でＮＯ）、ステップ♯１５の処理に戻る一方、データを内部記憶部２１０に移転してから所定時間が計時されたと判断した場合には、ＵＳＢメモリＭから内部記憶部２１０に移転されたデータを、前記ＵＳＢメモリＭに戻すことなく全て消去し（ステップ♯１７）、表示制御部２０２は、表示部１７２を用いて、ＵＳＢメモリＭから内部記憶部２１０に移転されたデータを、前記ＵＳＢメモリＭに戻すことなく全て消去した旨を報知する処理を行って（ステップ♯２７）、一連の処理を終了する。
【００８３】
ステップ♯１５において、前記案内画面Ｇ２においてボタンＢ４が操作された（ＵＳＢメモリＭをＵＳＢ装着部２３から取り外す旨が入力された）ことを検出すると（ステップ♯１５でＹＥＳ）、表示制御部２０２は、前記認証処理部２０３からの要求を受けて、図５に示すようなログイン画面Ｇ３を表示部１７２に表示させる（ステップ♯１８）。認証処理部２０３は、このログイン画面Ｇ３においてユーザＩＤが入力されるまで待機し（ステップ♯１９でＮＯ）、そのユーザＩＤが入力されると（ステップ♯１９でＹＥＳ）、そのユーザＩＤがステップ♯７で前記ユーザＩＤ記憶部２１１に登録されているものであるか否かの照合を行う（ステップ♯２０）。
【００８４】
認証処理部２０３は、前記ユーザＩＤがステップ♯７で前記ユーザＩＤ記憶部２１１に登録されたものではないと判断した場合には（ステップ♯２１でＮＯ）、認証処理部２０３及び表示制御部２０２は、表示部１７２を用いてその旨を報知する処理を行い（ステップ♯２２）、再度、適切なユーザＩＤを入力する機会を与えるべくステップ♯１８の処理に戻る。
【００８５】
一方、認証処理部２０３は、前記ユーザＩＤがステップ♯７で前記ユーザＩＤ記憶部２１１に登録されたものと一致したと判断した場合には（ステップ♯２１でＹＥＳ）、データ処理部２０６は、ＵＳＢメモリＭから内部記憶部２１０に移転されたデータを前記ＵＳＢメモリＭに戻すとともに、ＵＳＢメモリＭを取り外し可能な状態に設定し（ステップ♯２３）、表示制御部２０２は、ＵＳＢメモリＭの取り外しを許可する旨のメッセージを表示部１７２に表示させる（ステップ♯２４）。
【００８６】
そして、ＵＳＢメモリ装着検出部２０１は、ＵＳＢメモリＭがＵＳＢ装着部２３から取り外されたか否かを判断し（ステップ♯２５）、ＵＳＢメモリＭがＵＳＢ装着部２３から取り外されていないと判断した場合には（ステップ♯２５でＮＯ）、ステップ♯２４の処理に戻る一方、ＵＳＢメモリＭがＵＳＢ装着部２３から取り外されたと判断した場合には（ステップ♯２５でＹＥＳ）、表示制御部２０２は、ＵＳＢメモリＭの取り外しを許可する旨のメッセージの表示を終了させ、初期画面を表示させる（ステップ♯２６）。
【００８７】
このように、前記画像読取部１６が読取動作で生成した画像データをＵＳＢメモリＭに格納してから所定時間が経過するまでの間にＵＳＢメモリＭが取り外されない場合は、ＵＳＢメモリＭが取り外す作業の実施を促す案内画面Ｇ２を表示するようにしたので、ＵＳＢメモリＭの取り外し忘れを抑制することができる。
【００８８】
また、前記画像読取部１６が前記画像データをＵＳＢメモリＭに格納してから所定時間が経過するまでの間にＵＳＢメモリＭが取り外されない場合は、該画像データをＵＳＢメモリＭから前記内部記憶部２１０に移転するようにしたので、仮に、ユーザが前記ＵＳＢメモリＭの取り外しを忘れたとしても、前記画像データが他人によって不正に使用されるのを防止することができる。
【００８９】
また、前記データ処理部２０６によりＵＳＢメモリＭから内部記憶部２１０に移転された画像データは、操作部１７で入力されたユーザ情報に対する前記認証処理部２０３の認証を受けるとＵＳＢメモリＭに戻されるようにしたので、ユーザは、読み取った原稿の画像データが保存されたＵＳＢメモリＭを得ることができる。
【００９０】
また、前記画像データを前記データ処理部２０６によりＵＳＢメモリＭに戻すために、前記認証処理部２０３による認証を受けることを条件としたので、該画像データが他人によって勝手にＵＳＢメモリＭに戻されるのを防止することができる。
【００９１】
また、前記画像データを前記データ処理部２０６によりＵＳＢメモリＭに戻した後、ＵＳＢメモリＭがＵＳＢ装着部２３から取り外されるまで、ＵＳＢメモリＭの取り外しを許可する旨のメッセージを表示するようにしたので、ＵＳＢ装着部２３の取り外し忘れの発生を抑制することができる。
【００９２】
また、データ処理部２０６が、ＵＳＢメモリＭ内の全てのデータを該ＵＳＢメモリＭから内部記憶部２１０に移転してから所定時間内にＵＳＢメモリＭがＵＳＢ装着部２３から取り外されなかった場合には、ＵＳＢメモリＭから内部記憶部２１０に移転されたデータを、前記ＵＳＢメモリＭに戻すことなく全て消去するようにしたので、前記画像データが内部記憶部２１０に残存することにより該画像データが当該画像読取装置１０等で不正に使用されるのを防止することができる。
【００９３】
以上により、画像読取部１６の読取動作で得られた画像データをＵＳＢメモリＭに格納するという利用形態で画像読取装置１０が利用される場合にも、該ＵＳＢメモリＭの取り外し忘れをできるだけ防止し、且つ、ユーザがＵＳＢメモリＭの取り外しを忘れた場合であっても、データが他人によって不正に使用されるのを防止することができる。
【００９４】
本件は、前記実施形態に代えて、或いは前記実施形態に加えて、次のような変形形態も採用可能である。
【００９５】
（１）ＵＳＢメモリＭの抜き忘れを、前記案内画面Ｇ２の表示とともに音で報知するようにしてもよい。
【００９６】
（２）本件における外部記憶装置は、ＵＳＢメモリＭに限定されず、ＳＤカード等の記録媒体も含む。
【符号の説明】
【００９７】
１０  画像読取装置
１６画像読取部
１７  操作部
１７２  表示部
２００  制御部
２０１  ＵＳＢメモリ装着検出部
２０２  表示制御部
２０３  認証処理部
２０４  ジョブ実行指示部
２０５  計時部
２０６  データ処理部
２１０  内部記憶部
２１１テーブル記憶部
２３  ＵＳＢ装着部
【図１】
2011071652.tif 000003
【図２】
2011071652.tif 000004
【図３】
2011071652.tif 000005
【図４】
2011071652.tif 000006
【図５】
2011071652.tif 000007
【図６】
2011071652.tif 000008
【図７】
2011071652.tif 000009